(57)【要約】【課題】  特定の金種について取扱量が急激に増加した場合でも対応ができるようにする。【解決手段】  前日の運用において或る金種の紙幣の入金枚数に対する出金枚数が所定量以上超過していた場合、運用開始時に複数の入出金カセット１０ａ、１０ｂを使用している金種の紙幣を１つの入出金カセット１０ｂにまとめ、空にした入出金カセット１０ａを出金枚数が超過した金種の紙幣を収納するのに使用する。【選択図】  図３
2006018612.tif 000002
【特許請求の範囲】
【請求項１】
貨幣を収納する複数の収納部を有し、出金時には該収納部から貨幣を繰り出して出金し、入金時には入金された貨幣を該収納部に収納し、回送業者により貨幣が補充される自動取引装置において、
所定期間内における貨幣の取扱量を金種別に計数する計数手段と、
前記計数手段により計数された取扱量を所定値と比較する比較手段とを設け、
前記取扱量が前記所定値より多い場合に、この金種以外の金種で使用していた収納部を空にするとともに、前記取扱量が前記所定値より多い金種の補充を前記回送業者に通知することを特徴とする自動取引装置。
【請求項２】
前記取扱量は、前記所定期間内における入金枚数に対する出金枚数の超過量である請求項１記載の自動取引装置。
【請求項３】
前記空にされる収納部に収納されていた紙幣は他の収納部に収納される請求項１記載の自動取引装置。
【発明の詳細な説明】
【技術分野】
【０００１】
本発明は、貨幣を収納する複数のカセットを有し、出金時には該カセットから貨幣を繰り出して出金し、入金時には入金された貨幣を該カセットに収納する自動取引装置に関し、特に遠隔地に設置され、現金回送業者が装置内の現金を補充／回収する自動取引装置に関する。
【背景技術】
【０００２】
従来、金融機関等で使用されている自動取引装置においては、通常複数の金種の紙幣で運用されており、これらの金種を収納するための複数のカセットが設けられている。通常、各カセットには特定の金種が割り当てられて運用されている。また装置によっては予備カセットが設けられているが、こうした予備カセットには、通常、ユーザが利用頻度が多いと考えた金種が割り当てられている。いずれにしても各カセットに対して金種が固定的に割り当てられていた。
【０００３】
一方、最近では、金融機関の休日増加や顧客サービス向上のために自動取引装置の休日運用が増加しており、休日運用時と平日運用時とでカセットに収納する金種を変更する試みが行なわれている。これは休日にはとくに現金を大量に引き出される傾向があり、これに対応するために休日運用時には特定の金種を大量に収納するというものである。このような自動取引装置を開示するものとして、例えば特許２８３４９４６号公報が挙げられる。
【特許文献１】特許２８３４９４６号公報
【発明の開示】
【発明が解決しようとする課題】
【０００４】
しかしながら従来の装置においては、ユーザが利用頻度が高いとして設定した金種を予備カセットに収納した場合、この金種については取扱量が増加しても、回送業者による補充／回収の周期を短くせずとも対応できる。しかしながら、それ以外の金種について特別なイベントの開催や年末等の時期的な理由などで取扱量が急激に増加した場合、対応ができない場合が発生する。この場合には結局、回送業者による補充／回収の周期を短くしなければならず、回送業者への支払いが増加し、コストが高くなるという問題となる。
【課題を解決するための手段】
【０００５】
上記課題を解決するために、本発明は、貨幣を収納する複数の収納部を有し、出金時には該収納部から貨幣を繰り出して出金し、入金時には入金された貨幣を該収納部に収納し、回送業者により貨幣が補充される自動取引装置において、  所定期間内における貨幣の取扱量を金種別に計数する計数手段と、前記計数手段により計数された取扱量を所定値と比較する比較手段とを設け、前記取扱量が前記所定値より多い場合に、この金種以外の金種で使用していた収納部を空にするとともに、前記取扱量が前記所定値より多い金種の補充を前記回送業者に通知することを特徴とするものである。
【発明の効果】
【０００６】
上記構成の本発明によれば、特定の金種の貨幣が急遽増加した場合でも、その特定の金種の貨幣を収納する収納部の数を増加できるので、回送業者による補充／回収の周期を短くすることなく対応することができる。
【発明を実施するための最良の形態】
【０００７】
以下、本発明を実施するための形態を図面に従って説明する。図１は実施の形態の自動取引装置の構成を示すブロック図である。図１において、自動取引装置１には主制御部２、画面表示・操作部３、紙幣入出金口部４、金種カセット制御部５、時計部６、記憶部７、メカコン搬送部８および認識部９を有している。主制御部２は自動取引装置１の動作全体を制御する。画面表示・操作部３は、顧客に対してガイダンスおよび選択画面を表示するとともに、タッチパネル等による顧客の入力操作を行なう。紙幣入出金口部４は、入金時に顧客が紙幣を挿入したり、また出金時に紙幣が払い出されたりする部分である。金種カセット制御部５は、後述する入出金カセットおよび入金カセットの制御管理を行なう。
【０００８】
時計部６は、装置の運用開始時および運用停止時を主制御部２に伝える。記憶部７は、入金取引での入金紙幣枚数および出金取引での出金紙幣枚数を金種別に記憶する。メカコン搬送部８は、紙幣入出金口部４、認識部９、入出金カセットおよび入金カセットのそれぞれの間で紙幣を搬送する搬送手段である。認識部９は、紙幣の真偽、正損、表裏、重送等を認識したり、あるいは枚数を計数したりする。
【０００９】
また自動取引装置１には４個の入出金カセット１０ａ〜１０ｄと１個の入金カセット１１が設けられている。これらの入出金カセット１０ａ〜１０ｄは出金に使用されると共に入金時にも使用される。入金カセット１１は入金用として使用される。
自動取引装置１はインタフェースを介して回送業者のセンタ端末１２に接続されている。センタ端末１２にはセンタ側制御部１３、表示部１４および入力部１５が設けられている。
【００１０】
次に本実施の形態の動作を説明する。図２は実施の形態の動作を示すフローチャートである。自動取引装置１の運用における紙幣の収納形態として、入出金カセット１０ａ、１０ｂには万円紙幣が収納され、入出金カセット１０ｃには千円紙幣が収納され、入出金カセット１０ｄには５千円紙幣が収納されているものとする。また入金カセット１１には２千円紙幣が収納されているものとする。
【００１１】
自動取引装置１の電源が投入されると（ステップ１）、主制御部２は後述するカセット切替えフラグがオンか否かを確認する（ステップ２）。カセット切替えフラグがオンの場合は、前日までに或る特定の金種の取扱量が非常に多く、かつその金種の紙幣を収納するカセットが現在１つであることを示し、この場合はステップ１１へ進む。
【００１２】
カセット切替えフラグがオフの場合、通常の運用が開始される。運用では顧客が画面表示・操作部３に表示された取引種別の中から所望の取引を選択する。顧客が入金取引を選択した場合、顧客により紙幣入出金口部４に挿入された入金紙幣はメカコン搬送部８により認識部９へ搬送され、認識部９により紙幣の金種判別、真偽鑑別等が行なわれ、その認識結果は主制御部２へ通知される。主制御部２は、その認識結果に応じて入金紙幣をいずれかの入出金カセットまたは入金カセット１１へ搬送するように、あるいは紙幣入出金口部４へ返却するようにメカコン搬送部８に指示を出すと共に、金種カセット制御部５に対して入金紙幣を収納する指示を出す。入金紙幣がいずれかの入出金カセットまたは入金カセット１１に収納されると、金種カセット制御部５は主制御部２に紙幣収納完了を通知する。また主制御部２は認識結果の通知を受けると、その金種別に入金枚数を記憶部７に加算して記憶させる。
【００１３】
また顧客が出金取引を選択した場合、顧客が画面表示・操作部３で出金金額を入力指定すると、指定された額の紙幣が入出金カセットから繰り出すよう主制御部２は金種カセット制御部５に指示する。これにより入出金カセットから繰り出された紙幣はメカコン搬送部８により認識部９へ搬送され、さらに認識部９から紙幣入出金口部４へ搬送される。このとき認識部９で紙幣の金種判別を行い、その結果を主制御部２へ通知する。主制御部２では金種別に出金枚数を記憶部７に減算して記憶する（ステップ３）。
【００１４】
以上のようにして運用中は入金取引および出金取引が行われるごとに、取り扱われた枚数が金種毎に記憶部７に記憶され、記憶部７には金種毎の現在の出金超過枚数（入金枚数に対して出金枚数が超過した枚数。但し、入金取引で返却された紙幣枚数は含まない。）が記憶される。
【００１５】
一日の業務が時計部６から主制御部２に通知されると、主制御部２は運用の終了処理を行なう（ステップ４）。またこのとき主制御部２は、記憶部７に記憶してある金種ごとの取扱量としての出金超過枚数を読み出す（ステップ５）。ここで主制御部２は、読み出した各金種の出金超過枚数を相互に比較して、最も出金超過枚数の多い金種を選択する（ステップ６）。そして主制御部２はその最も出金超過枚数の多い金種が現在入出金カセットをいくつ使用しているか判断する（ステップ７）。
【００１６】
本実施の形態においては、万円紙幣は２個の入出金カセット１０ａ、１０ｂに収納され、千円紙幣、５千円紙幣はそれぞれ１個の入出金カセット１０ｃ、１０ｄに収納されている。最も出金超過枚数の多い金種が２つ以上の入出金カセットに収納されている場合、自動取引装置１の電源をオフして業務を終了する。最も出金超過枚数の多い金種が１つのカセットに収納されている場合、次にステップ８へ進む。
【００１７】
ステップ８において、主制御部２は、最大の出金超過枚数を予め記憶部７に記憶してある閾値と比較する。ステップ９において、出金超過枚数が閾値より少ない場合は、自動取引装置１の電源をオフして業務を終了する。出金超過枚数が閾値以上の場合は、この金種の情報とカセットの切り替えを指定するための切替えフラグをオンする（ステップ１０）。その後自動取引装置１の電源をオフして業務を終了する。
【００１８】
ステップ２において、切替えフラグがオンになっている場合、主制御部２は記憶部７から出金超過枚数の最も多い金種を読み出し（ステップ１１）、この金種の紙幣を収納するカセットを１つ増やすための設定値を変更する（ステップ１２）。記憶部７には各金種について入出金カセットの使用数が設定されており、例えば千円紙幣の使用する入出金カセットを１個から２個に増やす場合、千円金種について入出金カセットの使用数の設定値を２個に変更する。この場合、万円紙幣の使用する入出金カセットが２個から１個に減少するので、万円紙幣についても設定値を２個から１個に変更する。
【００１９】
次に主制御部２は変更になった設定値の内容をインタフェースを介して回送業者のセンタ端末１２に通知する（ステップ１３）。この通知を受け取ったセンタ端末１２では、センタ側制御部１３が設定値の内容を登録されている装置１の号機番号とともに表示部１４に表示させる。これにより回送業者側では、自動取引装置１において出金超過枚数の最も多い金種の紙幣を入出金カセットに新たに補充すべきことを知ることができる。これにより回送業者は、表示された号機に補充すべき紙幣を予め用意する。
【００２０】
自動取引装置１ではもともと２個の入出金カセットを使用していた金種の紙幣を１個のカセットにまとめるために紙幣を移動させる（ステップ１４）。この移動動作を図３及び図４を使用して説明する。図３、図４は紙幣の移動動作を示す動作説明図である。
【００２１】
図３において、自動取引装置１には紙幣入出金装置２０が設けられ、紙幣入出金装置２０に３個の入出金カセット１０ａ、１０ｂ、１０ｃが設けられている。（他の入出金カセット１０ｄおよび入金カセット１１は図示省略してある。）入出金カセット１０ａ、１０ｂには万円紙幣２４が収納され、入出金カセット１０ｃには千円紙幣２５が収納されている。入出金カセット１０ａは予備カセットである。ステップ１４における紙幣の移動は、予備カセットである入出金カセット１０ａ内の紙幣を隣の入出金カセット１０ｂに移動させるものである。
【００２２】
この場合、入出金カセット１０ａから繰出し部２１ａにより万円紙幣２４が１枚ずつ繰り出され、搬送路２２を図における右方に搬送され、認識部９へ送られる。認識部９で金種、真偽、正損等の判別を行い、万円の真券で損傷が無いと判断された紙幣２４は認識部９を通過後、矢印の方向に搬送され、取込み部２３ｂにより入出金カセット１０ｂ内に収納される。なお認識部９で問題ありと判別された紙幣はリジェクトボックス２６へ搬送されて収納される。
【００２３】
図４に示すように、入出金カセット１０ａ内の万円紙幣２４がなくなるまで紙幣２４が入出金カセット１０ｂに搬送される。入出金カセット１０ａが空になると、ステップ３に移行して通常の運用状態に戻る。ここで入出金カセット１０ａ内の万円紙幣２４が入出金カセット１０ｂに収納しきれない場合は、収納しきれない分は補充回収カセット２７内に収納される。
【００２４】
空の状態になっている入出金カセット１０ａは交換可能であり、補充時に回送業者により出金超過枚数の最も多い金種の紙幣、本実施の形態では千円紙幣、が収納された入出金カセットと交換される。これにより出金超過枚数の最も多い金種の紙幣が２つの入出金カセット１０ａ、１０ｃに収納された状態で運用され、金種毎の使用頻度に合わせた運用が可能になる。
【００２５】
以上のように本実施の形態によれば、運用での紙幣の入金枚数に対する出金枚数の超過分により、この超過分の多い金種について臨機応変に入出金カセットを増加させるようにしたので、紙幣収納枚数の減少量に応じた対応ができ、紙幣切れにて運用がとまることや、回送業者の紙幣の補充回収回数が増加することなどが防止できる効果がある。その結果、自動取引装置１の効率的な運用が可能になる。
【００２６】
上記実施の形態では、前日に或る特定の金種の出金超過量が非常に多く、かつその金種の紙幣を収納する入出金カセットが１つである場合に、その当日の運用開始時にその金種の紙幣を収納する入出金カセットを１つ増加させるようにしているが、入出金カセットを変えるための判断基準として、或る金種の閾値以上の出金超過量が或る日数連続した場合にその金種に使用する入出金カセットを増やすようにしてもよい。
また上記実施の形態では、貨幣として紙幣を例にして説明したが、硬貨の場合も同様に、特定の金種の出金超過量が多い場合にはその金種を収納する収納部を増加させるようにすることができる。
【図面の簡単な説明】
【００２７】
【図１】実施の形態の自動取引装置の構成を示すブロック図である。
【図２】実施の形態の動作を示すフローチャートである。
【図３】紙幣の移動動作を示す動作説明図である。
【図４】紙幣の移動動作を示す動作説明図である。
【符号の説明】
【００２８】
１  自動取引装置
２  主制御部
７  記憶部
１０ａ、１０ｂ、１０ｃ、１０ｄ  入出金カセット
１２  センタ端末
【図１】
2006018612.tif 000003
【図２】
2006018612.tif 000004
【図３】
2006018612.tif 000005
【図４】
2006018612.tif 000006